Podtech/llm-jp-corpus-v4-ja_patent huggingface dataset:
(57)【要約】      （修正有）【課題】刃体同士の擦り合いが確実に行われ、切断性能の優れた鋏を提供する。【解決手段】中間部において動刃側刃体１の中間部と接続軸３で互いに回動自在に枢着した静刃側刃体２の把柄部２ｂに、前記動刃側刃体１の把柄部１ｂと交差する位置にして押圧材４を突設する。そして、該押圧材４に、動刃側刃体１の前記把柄部１ｂを、静刃側刃体２の前記把柄部２ｂから前記接続軸３の軸線に沿って離開する方向に押圧する付勢手段を施す。【選択図】図１
2007029345.tif 000002
【特許請求の範囲】
【請求項１】
中間部において動刃側刃体の中間部と接続軸で互いに回動自在に枢着した静刃側刃体の把柄部に、前記動刃側刃体の把柄部と交差する位置にして押圧材を突設し、該押圧材に、動刃側刃体の前記把柄部を、静刃側刃体の前記把柄部から前記接続軸の軸線に沿って離開する方向に押圧する付勢手段を施した、鋏。
【発明の詳細な説明】
【技術分野】
【０００１】
本発明は、鋏、概し理容用として適用する鋏に関するものである。
【背景技術】
【０００２】
刃先部において動刃側刃体の下側に重ね合せた静刃側刃体と前記動刃側刃体を中間部において回動自在に枢着した鋏は具体例を挙げるまでもなく公知である。
【発明の開示】
【発明が解決しようとする課題】
【０００３】
前記従来例（理容鋏において）は、使用時（切断操作時）に動刃側刃体の把柄部を静刃側刃体の把柄部の下方に押圧するようにして動刃側刃体の刃先部が静刃側刃体の刃先部に尚一層確実に擦り合うようにして切断効果を上げるようにしているが、既存の多くの鋏は右手用で、左手で使用する場合は前記の押圧操作は、相応の訓練による習熟度を要する。
【０００４】
本発明は、斯様な習熟度を必要としないで切断効果の期待できる鋏を提供すべく創案したものである。
【課題を解決するための手段】
【０００５】
中間部において動刃側刃体の中間部と接続軸で互いに回動自在に枢着した静刃側刃体の把柄部に、前記動刃側刃体の把柄部と交差する位置にして押圧材を突設し、該押圧材に、動刃側刃体の前記把柄部を、静刃側刃体の前記把柄部から前記接続軸の軸線に沿って離開する方向に押圧する付勢手段を施した構成とするのである。
【発明の効果】
【０００６】
本発明によれば、使用時に動刃側刃体の把柄部を押圧材が静刃側刃体の把柄部から接続軸の軸線に沿って離開する方向に押圧することになるから、動刃側刃体の把柄部を指先で押圧するのと同様の効果を期待でき、従って、両刃体の刃先部側は尚一層確実に擦り合って切断機能の優れた鋏を提供できる。また、指先の押圧は軽少で良いため、過度に押圧する癖を補正する鋏としても使用できる。
【実施例】
【０００７】
図面は本発明に係る鋏の実施例を示し、図１は平面図、図２は図１ａ−ａ線断面図、図３は図１ｂ−ｂ線断面図、図４は押圧材の一部欠截平面図、図５は押圧材の一部欠截正面図、図６は第二実施例の平面図、図７は図６の拡大断面図である。
【０００８】
本発明に係る鋏は、動刃側刃体１の刃先部１ａと静刃側刃体２の刃先部２ａが互いに重なり合う（擦り合う）ようにして該刃先部１ａ，２ａと把柄部１ｂ，２ｂとの中間部において接続軸３で互いに回動自在に枢着し、静刃側刃体２の前記把柄部２ｂに、鋏使用時（操作時）に動刃側刃体１の前記把柄部１ｂと交差する位置にして押圧材４を突設し、この押圧材４に押圧手段を施して動刃側刃体１の前記把柄部１ｂを、静刃側刃体２の前記把柄部２ｂから前記接続軸３に沿って離開する方向に付勢させ、この押圧付勢により動刃側刃体１の刃先部１ａ側が静刃側刃体２の刃先部２ａに接する方向に外力が作用し、刃先部１ａ，２ａ同士の擦り合いが確実に行われ、切断性能が向上するようにしたものである。
【０００９】
図１乃至図５で示す第一実施例は、前記押圧材４を鋏Ａの静刃側刃体２と別体とし、該押圧材４を把柄部２ｂに着脱自在に取付け、既存の鋏に対して本発明を適用できるようにしたものである。
【００１０】
第一実施例の押圧材４は、押圧材主体４Ａの取付基部４Ａ´に受止部片５を設け、該受止部片５に一端の係止部片９を係止して前記取付基部４Ａ´に重ね合わせた挟持片６と前記取付基部４Ａ´の間に、一半を取付基部４Ａ´側に、他の一半を挟持片６側にそれぞれ係合して折り曲げ状にした、弾性ゴム片より成る付勢片７を介在させ、該付勢片７の、折り曲げ状にしたときの相対する溝８，８に、静刃側刃体２の前記把柄部２ｂを係合するようにして該把柄部２ｂを取付基部４Ａ´と挟持片６間に介在させ、前記受止部片５に係止した前記係止部片９側の前記一端に相対する挟持片６の他の一端側に貫通させた締付ねじ１０のねじ部を前記取付基部４Ａ´に螺合締付け、前記の通り、静刃側刃体２の把柄部２ｂに突設したものである。
【００１１】
この押圧材４の前記押圧材主体４Ａの、動刃側刃体１の把柄部１ｂとの接触縁４´は、接続軸３を中心とする動刃側刃体把柄部１ｂの回動軌跡（路）上に存し、その結果、把柄部１ｂは前記付勢片７の作用によって接触縁４´すなわち押圧材４に圧接しつつ、すなわち、押圧されつつ回動し、動刃側刃体１の刃先部１ａ側には該把柄部１ｂの受圧方向と反対方向に外力が作用し、該刃先部１ａは静刃側刃体２の刃先部２ａの擦り合いが確実に行われ、刃先部１ａ，２ａより物品の切断が円滑に行われる。
【００１２】
なお、接触縁４´は、金属製の押圧材主体４Ａに硬質樹脂片４´Ａを埋め込んで構成してある。
【００１３】
図６及び図７で示す第二実施例の押圧材４は、静刃側刃体２の把柄部２ｂにその基部を一体にして突設したもので、第一実施例でいう接触縁４´を構成する樹脂製の接触片４´Ａを押圧材主体４Ａに設けた凹入溝１２に係合し、該接触片４´Ａと主体４Ａとの間にコイルスプリング１３を介在させて第一実施例の付勢片７（弾性樹脂で構成しても良い）に代る付勢手段としたものである。
【００１４】
第二実施例の場合は、コイルスプリング１３の付勢によって接触片４´Ａが動刃側刃体１の把柄部１ｂを押圧し、その押圧によって把柄部１ｂと反対方向に作用を受ける刃先部１ａ側は、静刃側刃体２の刃先部２ａに第一実施例と同様に近接して刃先部１ａ，２ａの擦り合いによる切断操作が行われるのである。
【図面の簡単な説明】
【００１５】
【図１】平面図。
【図２】図１ａ−ａ線断面図。
【図３】図１ｂ−ｂ線断面図。
【図４】押圧材の一部欠截平面図。
【図５】押圧材の一部欠截正面図。
【図６】第二実施例の平面図。
【図７】図６の拡大断面図。
【符号の説明】
【００１６】
１      動刃側刃体
１ｂ    把柄部
２      静刃側刃体
２ｂ    把柄部
３      接続軸
４      押圧材
【図１】
2007029345.tif 000003
【図２】
2007029345.tif 000004
【図３】
2007029345.tif 000005
【図４】
2007029345.tif 000006
【図５】
2007029345.tif 000007
【図６】
2007029345.tif 000008
【図７】
2007029345.tif 000009
(57)【要約】【課題】  高速押出及び高強度アルミニウム合金の押出でも、製品の外周・中央部、中柱根元・中央部での肉厚変動を防止し、製品表面のピックアップと言われる不良も防止する。【解決手段】  ホイール挿入直前の母材を１５０〜４５０℃に加熱することを特長とするコンフォーム押出方法。【選択図】  無し【特許請求の範囲】
【請求項１】
ホイール挿入直前の母材を１５０〜４５０℃に加熱することを特長とするコンフォーム押出方法。
【発明の詳細な説明】
【技術分野】
【０００１】
本発明は、コンフォーム式押出法に関するものである。
【背景技術】
【０００２】
例えば、自動車用熱交換器に使用されるアルミニウムチューブは、押出加工によって製造される。
【０００３】
押出方法には、種々の方式があるが、小型の高精度品にはコンフォーム押出が好ましく用いられている。
【０００４】
コンフォーム押出は、通常、押出機内での摩擦発熱により材料温度を上げることによって押出成形性を確保している。その為、母材は暖める事無く、冷間で使用される。しかし、冷間の母材を使用すると、高速押出及び高強度アルミニウム合金の押出では、製品外周部や中柱の肉厚変動が生じてしまう。
【０００５】
また、特許文献１には、コンフォーム押出を行う前のアルミニウム合金母材に、金属内の金属間化合物をコントロールし耐食性向上を図ることを目的として、５２０℃以上の加熱処理を行う方法が開示されている。但し、５２０℃以上の加熱処理を行うと、高速押出及び高強度アルミニウム合金の押出時に、製品表面が毟れる、ピックアップと言われる不良が多発する。
【特許文献１】特開平５−１６９１３３号公報
【発明の開示】
【発明が解決しようとする課題】
【０００６】
本発明は、このような状況に鑑み鋭意検討の結果なされたもので、その目的とするところは、高速押出及び高強度アルミニウム合金の押出でも、製品外周部や中柱の肉厚変動・変形の防止、製品表面のピックアップと言われる不良の防止を目的とする。
【課題を解決するための手段】
【０００７】
これらの課題を解決するための本願発明は請求項１記載の、ホイール挿入直前の母材を１５０〜４５０℃に加熱することを特長とするコンフォーム押出方法である。
【発明の効果】
【０００８】
本発明のコンフォーム押出方法は、ホイール挿入直前の母材を１５０〜４５０℃に加熱することにより、高速押出及び高強度アルミニウム合金の押出でも、製品の外周・中央部(中柱)の肉厚変動の防止、製品表面のピックアップと言われる不良を防止することができる。
【発明を実施するための最良の形態】
【０００９】
本発明のコンフォーム式押出法において、ホイール挿入直前の母材を１５０〜４５０℃に加熱するのは、素材の流動性を上げて、押出ダイス内のメタルフローを向上させるためである。加熱手段としては、熱風吹付け、温水吹付け、バーナー、誘導加熱等が挙げられ、特に手段を問わない。
【００１０】
１５０℃未満では、素材の流動性向上が不十分である。
４５０℃を超えると、製品表面の毟れが多発し、ピックアップ不良になる。
【００１１】
小断面積製品、すなわち押出製品の単重が軽い材料のコンフォーム押出においては、接触面積が少ないため押出機内での摩擦発熱が少なくその結果、母材の温度が十分上がらず成形性が悪く、寸法不安定が生じ易かった。従って、単重２００ｇ／ｍ以下の押出製品において特に母材加熱の効果が大きい。
【実施例】
【００１２】
以下に本発明を実施例により詳細に説明する。
【００１３】
コンフォーム押出法により、Ａ１０５０とＡ３００３とＡ６０６１のアルミニウム合金製偏平多穴管（１９穴、幅１６．１ｍｍ、高さ１．６ｍｍ、中柱寸法０．２２ｍｍ×１．０ｍｍ、肉厚０．３ｍｍ）を押し出すにあたり、母材加熱有（温度２５０〜４５０℃）と無で評価を行った。
【００１４】
外周肉厚寸法については、押出定常部の断面において、Ｒ部外周肉厚４箇所Ｔｒ１、Ｔｒ２、Ｔｒ３、Ｔｒ４を測定し、その平均値を外周肉厚Ｒ部とし、中央部外周肉厚２箇所Ｔｃ１、Ｔｃ２を測定し、その平均値を外周肉厚中央部とし、これらの差を求めて寸法バラツキを評価した。
【００１５】
また中柱肉厚寸法については、押出定常部の断面において、一断面１８本の中柱全てについて、中柱根元肉厚２箇所Ｔｈ１、Ｔｈ３を測定し、その平均値を中柱根元肉厚とし、中柱の高さ中央部の肉厚１箇所Ｔｈ２を測定し、中柱中央肉厚とし、これらの差を求めて寸法バラツキを評価した。
【００１６】
結果を表１に示す。
【００１７】
【表１】
2007029963.tif 000002
【００１８】
従来法のＡ１０５０は、母材加熱を行わなかった為、押出速度が１００ｍ／分でも、外周と中柱の寸法バラツキが見られた。更に押出速度１５０ｍ／分になると、表面の剥れも発生した。
【００１９】
次に従来法のＡ３００３は、母材加熱を行わなかった為、押出速度が１００ｍ／分で、外周と中柱の寸法バラツキが見られ、表面の剥れも発生した。更に押出速度１５０ｍ／分になると、押出が出来なかった。
【００２０】
さらに従来法のＡ６０６１は、母材加熱を行わなかった為、押出速度が１００ｍ／分で、外周と中柱の寸法バラツキが見られ、表面の剥れも発生した。更に押出速度１５０ｍ／分になると、押出が出来なかった。
【００２１】
それに対し、発明法のＡ１０５０、Ａ３００３、Ａ６０６１は、母材加熱を行なった為、押出速度が１００ｍ／分、１５０ｍ／分ともに、外周と中柱の寸法バラツキが見られず、表面の剥れも発生しなかった。
【図面の簡単な説明】
【００２２】
【図１】偏平多穴管の断面図
【図２】偏平多穴管中柱部の拡大断面図
【符号の説明】
【００２３】
１  Ｔｒ１  Ｒ部外周肉厚
２  Ｔｒ２  Ｒ部外周肉厚
３  Ｔｒ３  Ｒ部外周肉厚
４  Ｔｒ４  Ｒ部外周肉厚
５  Ｔｃ１  中央部外周肉厚
６  Ｔｃ２  中央部外周肉厚
７  Ｔｈ１  中柱根元肉厚
８  Ｔｈ２  中柱中央肉厚
９  Ｔｈ３  中柱根元肉厚    
【図１】
2007029963.tif 000003
【図２】
2007029963.tif 000004
(57)【要約】【課題】  お寿司をお箸で掴んで皿に入れた醤油に付けようとした時、ネタに醤油を付けようとすると、お寿司をひっくり返さなくてはならず、そうするとネタとシャリがバラバラになってしまう不都合の解消等。【解決手段】  お寿司を乗せている皿に長細い溝を作ることにより、お箸でお寿司の上下を掴むことができる。それにより、皿に入れた醤油にお寿司をつけようと、お寿司をお箸で掴んだままひっくり返しても、ネタとシャリがバラバラになることはなく、この課題を解決する。【選択図】    図１
2007029214.tif 000002
【特許請求の範囲】
【請求項１】
お寿司をのせる皿に長細い溝を付け、その上にお寿司を乗せた場合、お寿司の下にお箸をいれることができる皿。
【発明の詳細な説明】
【技術分野】
【０００１】
本発明はお箸を使ってお寿司を上下で挟めるようにするための寿司皿に関する。
【背景技術】
【０００２】
従来の寿司皿では、お箸を使うと寿司皿に溝がないため、お寿司を左右からしか挟めなかった。この例として特許文献1に開示されているものがある。
【特許文献１】特許公開２００３−２１２２７５
【発明の開示】
【発明が解決しようとする課題】
【０００３】
しかし従来のような寿司皿では、お寿司のネタに皿に入れた醤油を付けようとお寿司をひっくり返すと、ネタが落ちてしまうため不便ある。
【課題を解決するための手段】
【０００４】
そこでお寿司の皿に細長い溝を付け、溝に平行にお寿司をその上に置くようにすると、お寿司の下にお箸が入る隙間ができ、お寿司を上下で挟むことができるという溝付き寿司皿を発明した。
【発明の効果】
【０００５】
よって、本発明の溝付き寿司皿によれば、お寿司をお箸で掴み、ネタに皿に入れた醤油を付ける場合でも、ネタとシャリを上下で挟むため、ネタとシャリがバラバラになることはない。
【発明を実施するための最良の形態】
【０００６】
本発明に係る溝付き寿司皿は図１に示すように、お寿司を置く部分に細長い溝を作る。そして溝の縦の長さはお寿司の縦の長さより長く8cm程度、横の長さはお寿司の横の長さより短く1cm程度、深さは1cm程度とする。溝の四隅は丸みをもたせゴミや汚れを付きにくくする。基本的に、溝と溝との間は2cm程度とする。素材はプラスチックや木や陶器など皿として使える物なら何でも良いとする。形は丸でも四角でも何でも良く、また本発明の皿とは、食品用のパックなども含むとする。
【産業上の利用可能性】
【０００７】
本発明は、家庭や寿司屋で使う寿司皿として、あるいは回転寿司用の皿として利用できる。また、寿司をパック詰めして販売するためのプラスチック容器などとして利用できる。
【図面の簡単な説明】
【０００８】
【図１】本発明に係る溝付き寿司皿を、寿司を乗せた状態の平面図である。
【図２】本発明に係る溝付き寿司皿を、寿司を乗せた状態のＸ〜Ｘでの断面図である。
【図３】本発明に係る溝付き寿司皿を、寿司を乗せた状態のＹ〜Ｙでの断面図である。
【符号の説明】
【０００９】
１、    皿
２、    溝
３、    寿司
【図１】
2007029214.tif 000003
【図２】
2007029214.tif 000004
【図３】
2007029214.tif 000005
(57)【要約】【課題】  本発明は歯科用パノラマＸ線撮影装置における被検者の頭部固定において、被検者の顎、側頭部、前頭部の４点で保持するこにより被検者の頭部の位置決めを確実に行うことが可能な歯科用パノラマＸ線撮影装置を提供する。【解決手段】歯科用パノラマＸ線撮影装置において、撮影時に被検者の頭部固定を行う位置決め手段を支持する基台部に側頭部押さえと前頭部押さえを設け、基台部から開閉可能に支持している側頭部押さえの上方に接続手段と、その接続手段の中心点に前後可能な前頭部押さえを設け被験者の頭部に合わせて調整できる構造になっている。  【選択図】図１
2007202886.tif 000002
【特許請求の範囲】
【請求項１】
被検者の頭部を挟んで一端にＸ線を照射するためのＸ線発生器と他の一端に被検者の頭部を透過したＸ線を検知する受像部を対向配置された旋回アームが旋回してパノラマＸ線撮影を行う、所謂、歯科用パノラマＸ線撮影装置において、撮影時に被検者の頭部固定を行う位置決め装置を支持する基台部に側頭部押さえと前頭部押さえを有する位置決め手段を設けたことを、特徴とする歯科用パノラマＸ線撮影装置。
【請求項２】
前記位置決め手段は、基台部から開閉可能に支持している側頭部押さえの上方に接続手段と、その接続手段の中心点に前後可能な前頭部押さえを設け被験者の頭部に合わせて調整できることを、特徴とする請求項１に記載の歯科用パノラマＸ線撮影装置。
【請求項３】
前記側頭部押さえの上部接続手段が、側頭部押さえの開閉に連動して開閉するリンク機構であることを特徴とする請求項２に記載の歯科用パノラマＸ線撮影装置。
【発明の詳細な説明】
【技術分野】
【０００１】
本発明は、歯科用パノラマＸ線撮影装置の改良に関する。
【０００２】
更に詳しくは、歯科用パノラマＸ線撮影装置の被検者の位置決めに関する。
【背景技術】
【０００３】
従来、歯科用パノラマＸ線撮影において被検者の位置決めを行う時、被検者の頭部を確実に固定するためには、顎、前頭部、左右側頭部の４点で保持することが望ましい。回転部から懸垂している構造においては、比較的容易に製作することが可能であるが、近年の装置ではアーム部には電子部品等が実装されており、懸垂軸をおろすことができない。また基台部から支持する場合は、強靱な支持具を用いると撮影の妨げになり現実的には使用できないのが現状である。
【発明の開示】
【発明が解決しようとする課題】
【０００４】
歯科用パノラマＸ線撮影装置における被検者の頭部固定方法は、基台部から側頭部押さえを開閉可能に支持している場合は、従来側頭部押さえだけで固定され前頭部押さえがない。
【０００５】
本発明は、上記した問題点に鑑みなされたもので、歯科用パノラマＸ線撮影における被検者の頭部の位置決めを確実に行う装置の提供を目的とする。
【課題を解決するための手段】
【０００６】
請求項１に記載の発明は、被検者の頭部を挟んで一端にＸ線を照射するためのＸ線発生器と他の一端に被検者の頭部を透過したＸ線を検出する受像部を対向配置された旋回アームが旋回して撮影を行う、所謂、歯科用パノラマＸ線撮影装置において、撮影時に被検者の頭部固定を行う位置決め装置を支持する基台部に側頭部押さえと前頭部押さえを有する位置決め手段を設けたことを特徴とする。
【０００７】
請求項２に記載の発明では、前記位置決め手段は、基台部から開閉可能に支持している側頭部押さえの上方に接続手段と、その接続手段の中心点に前後可能な前頭部押さえを設け被験者の頭部に合わせて調整できることを特徴とする。
【０００８】
請求項３に記載の発明では、側頭部押さえの上部接続手段が、側頭部押さえの開閉に連動して開閉するリンク機構であることを特徴とする。
【発明の効果】
【０００９】
上記した歯科用パノラマＸ線撮影装置の基台部から開閉可能に支持された側頭部押さえが被検者の頭部を挟み込むように配置され、その上方を接続手段と、その接続手段の中心点に被検者の前頭部を支持する前後可能な前頭部押さえを設け、また被検者の顎を支持するチンレストも基台部に設けることにより４点保持となり被検者を確実に固定できる。
【００１０】
しかも、側頭部押さえの上方を接続することにより、側頭部押さえ及び前頭部押さえにより構成されている構造体の強靭性を高められる。また側頭部押さえの上部接続手段が、側頭部押さえの開閉に連動して開閉するリンク機構となっているため前頭部押さえは、被検者の頭部に合わせて前後に調整できる構造になり確実に被検者を位置決めできる。
【発明を実施するための最良の形態】
【００１１】
以下に、図面に従って本発明の実施態様について説明する。
【実施例】
【００１２】
図１は、本発明の歯科用パノラマＸ線撮影装置の位置決め手段の一実施例である。図中、１は基台部、２は側頭部押さえ、３は接続手段、４は前頭部押さえ、５はチンレストを示している。
【００１３】
図において、基台部１から支持された側頭部押さえ２が被検者の頭部を挟み込むように左右方向に開閉可能に配置され、その上方を接続手段３と、その接続手段の中心点３’に被検者の前頭部を支持する前後可能な前頭部押さえ４を設けている。また被検者の顎を支持するチンレスト５も基台部１に設けている。これにより被検者を確実に固定するための４点保持が可能になる。また側頭部押さえ２の上方を接続することにより、側頭部押さえ２及び前頭部押さえ４により構成されている構造体の強靭性を高めている。また側頭部押さえ２の上部接続手段３は、側頭部押さえ２の開閉に連動して開閉するリンク機構になっており、前頭部押さえ４は被検者の頭部に合わせて前後に調整できる構造になっている。
【図面の簡単な説明】
【００１４】
【図１】本発明の歯科用パノラマＸ線撮影装置の位置決め手段の一実施例を示す
【符号の説明】
【００１５】
１  基台部
２  側頭部押さえ
３  接続手段
４  前頭部押さえ
５  チンレスト
【図１】
2007202886.tif 000003
(57)【要約】【課題】  茶漉しやドリッパーの簡便さとティーバッグの扱いやすさを組み合わせて利用価値を高めたい。その為には茶漉しやドリッパーでも被抽出物の成分が十分抽出されるようにしたい。これを課題とする。【解決手段】  注入した湯がストレートに落ちるのを避けたり、流れを変えたりする意図で器具本体にカバーと称する覆いを付けて十分成分を引き出すようにする。【選択図】      図１
2007202655.tif 000002
【特許請求の範囲】
【請求項１】
上から注入した湯が、採集容器に流れ落ちる過程で、被抽出物の成分を抽出する飲料用成分抽出器具に於いて、濾過資材が接する器具本体と、器具本体の外側を一定の間隔を持って覆う、通水孔を有するカバーとで構成されたことを特徴とする掛止部材と柄付の多層式成分抽出器具
【請求項２】
請求項１記載の多層式抽出器具に於いて、カバーを器具本体より取り外し可能な構造にしたことを特徴とする掛止部材と柄付の多層式成分抽出器具
【請求項３】
請求項２記載の多層式抽出器具に於いて、器具本体と濾過資材が一体化していることを特徴とする掛止部材と柄付の多層式成分抽出器具
【発明の詳細な説明】
【技術分野】
【０００１】
上から注入した湯が、採集容器に流れ落ちる過程で、被抽出物の成分を抽出する、所謂茶漉しやドリッパーに関するものである。
【背景技術】
【０００２】
茶漉しに関しては、一重や二重の金網のもの、円筒状の合成樹脂の底部に漏斗状の濾過部を設けたもの、更には、給茶器等に使用される広くて浅い形状の茶漉し等がある。
【０００３】
コーヒードリッパーについては、通水孔の位置や数、又、ドリッパー自体の形状等により、カリタ式、メリタ式、或いはコーノ式等があり、又、針金で円錐形に型取り、円錐形の濾過資材を保持するだけのものもある。
【発明の開示】
【発明が解決しようとする課題】
【０００４】
注入した湯が流下する間に成分を抽出する方法に於いては、濾過資材の通水性を変えたり、濾過部の形状や大きさを変えたりして改良しているが、まだ不十分で、特に最初の抽出液が良くない。
【０００５】
又、コーヒーやお茶等で濾過資材の小袋入りのものが普及し、濾過資材も多種で使用方法も小袋の一部を開封して漏斗型に組み立て使用するものもあるし、小袋の立体形のもの、所謂テトラパックもある。これら多種の小袋に合った茶漉しなり、ドリッパーがあれば手軽に使用できる器具として便利である。
【課題を解決するための手段】
【０００６】
成分抽出器具本体に、その外側に通水孔を有するカバーを取り付けた構造の多層式成分抽出器具とし、注入した湯がストレートに落ちるのを避け、一旦カバーの中に溜まる状態にし、カバーの下端の孔とその上段に設けた孔より流下させる。即ち、器具本体よりの時間当たりの流下量より、カバーの下端の孔より流下する量を小さくするとカバー内の湯は溢れるように上段の通水孔より流下する。
【０００７】
又、前述のカバー内に一旦湯を溜める状態をつくる方法だけでなく、器具本体の通水孔の位置、大きさ等或いはリブ、所謂畝を形成したりする関係と、カバーの通水孔の位置、大きさ等の関係をいろいろ組み合わせて湯の流れをコントロールする。
【発明の効果】
【０００８】
注いだ湯が一旦溜まった状態になったり、押し上げられたりいろいろ流れに変化が出来、その結果被抽出物全体に湯が行き渡ることになり抽出効果が上がる。
【０００９】
又、目詰まりしないように濾過部を大きくしても流下する湯の量はカバーと器具本体の隙間の大きさやカバーの通水孔の大きさ、位置、数等によりコントロールされ成分抽出は十分行われる。
【００１０】
以上のように、被抽出物の成分が十分抽出され且つ抽出時間もそれほど掛からないで、満足のいく抽出液を得ることが出来る。
【発明を実施するための最良の形態】
【００１１】
半円形の合成樹脂フィルム2個で同じ円錐形容器２個を作り、一方の容器の内側と外側の両側面にリブ、即ち畝を上下方向に放射線状に設け、最下点となる頂点部を水平に切り取り通水孔を形成し、器具本体とし、他方の容器には下端に通水孔を設け、それ以外にも通水孔を設けるが、その位置は器具本体の通水孔より高い所にする。通水孔の大きさは器具本体のものより下端の孔は小さく、上段の孔は十分大きくしたものとし、器具本体より取り外し可能にし、掛止部材と柄を付けてカバーとする。
【実施例１】
【００１２】
図１は器具本体の展開図で左側実線１２は内側リブ、右側破線１３は外側リブの各位置を示した。勿論、内外側の両側面全体にリブは有るが、図が複雑になる為記入を省略した。辺１４を接合して円錐形に組み立て下端に通水孔１５が出来る。尚、リブ自体の巾は２mm、厚さ０．７５mmで実施した。
【００１３】
図２はカバー展開図で辺２４を接合して円錐形に組み立てる。下端の通水孔２２は器具本体の通水孔１５より小さく実施例では通水孔２２が直径６mm、通水孔１５が直径１３mmとした。
通水孔２３は直径２０mmと２７mmの間の側面切り取って作った。
【産業上の利用可能性】
【００１４】
茶漉しやドリッパーの簡便性と濾過資材の小袋の扱いやすさが組み合わさり、被抽出物の成分も十分抽出されれば、普及する可能性があり、又、発明した多層式成分抽出器具は安価に製造出来るもので作りやすい。
【図面の簡単な説明】
【００１５】
【図１】器具本体の展開図（但し、複雑さを避ける為、左側実線は内側リブ、右側破線は外側リブの各半分を示したに止めた。）。（実施例１）
【図２】カバーの展開図である。（実施例１）
【符号の説明】
【００１６】
１１      器具本体
１２      器具本体内側リブ
１３      器具本体外側リブ
１４      接合辺
１５      器具本体の下端の通水孔
２１      カバー
２２      カバーの下端の通水孔
２３      カバー上段通水孔
２４      接合辺
【図１】
2007202655.tif 000003
【図２】
2007202655.tif 000004
(57)【要約】【課題】活性水素アルカリイオン水の健康補助食品が、より一層の健康に貢献する食品は出来ないものかと解決の課題とした。【解決手段】健康補助食品の活性水素アルカリイオン水にゲルマニウムの微粉末を混合包含さして、一日三回、飲用することで、色々な病気の予防健康保持に効果があるので、課題を解決する手段とした。【特許請求の範囲】
【請求項１】
活性水素アルカリイオン水にゲルマニウムの粉末を混合包含した、健康補助食品。
【発明の詳細な説明】
【技術分野】
【０００１】  本発明は、活性水素アルカリイオン水にゲルマニウムの微粉末を混合包含した健康補助食品に関するものである。
【背景技術】
【０００２】  従来、健康補助食品には、ゲルマニウムの粉末を混合包含したものはなかった。
【発明の開示】
【発明が解決しようとする課題】  活性水素アルカリイオン水の健康補助食品が、より一層の健康に貢献する食品は出来ないものかと解決の課題とした。
【課題を解決するための手段】  健康補助食品の活性水素アルカリイオン水にゲルマニウムの微粉末を混合包含さして、一日三回、飲用することで、色々な病気の予防健康保持に効果があるので、課題を解決する手段とした。
【発明の効果】
【０００３】  このような、ゲルマニウム微粉末を包含した活性水素アルカリイオン水を飲用すると、活性水素アルカリイオン水だけでも血液がサラサラになり、血の循環が良くなり体調が改善されるものが、ゲルマニウムの微粉末を包含することで、ゲルマニウムの特性である、ガン、悪性の慢性リウマチ等の病気に対する臨床報告に有るとおり、健康保持改善に寄与するものであり、健康に対する効果は計りしれないものがあり、高齢化社会に於ける国の医療費の軽減になり、一般住民も日常生活の健康と経済が改善されるものである。
【発明を実施するための最良の形態】
【０００４】  本発明は、ＵＭＯ濃縮溶液１ｌにゲルマニウムの微粉末約５００ｍｇを混入撹拌した、ゲルマニウムを包含したゲルマニウムＵＭＯ濃縮溶液を提供するものである。ゲルマニウム入りＵＭＯ濃縮溶液をコップ一杯の水、約２００ｍｌに対しゲルマニウムＵＭＯ濃縮溶液を約０，５ｍｌを混合して飲用する。健康状態により、コップ水と濃縮溶液との割合は適宜増減しても良く、ゲルマニウムの微粉末とＵＭＯ濃縮溶液の混合の割合も、多少の増減は可とする。
【産業上の利用可能性】  本発明のゲルマニウムＵＭＯ活性水素アルカリイオン水濃縮溶液は、日常の社会生活の中で、健康保持、改善、治癒に著しい効果があるので、健康保持食品として、製造販売が可能であり、産業上極めて有益な利用度の高い商品で、社会環境に貢献して、ひいては産業経済の発展に寄与するものである。
(57)【要約】【課題】  ベランダの手摺などに、鳩が止まり、糞などを落とし汚染するなとの害に悩む者は少なくない。これらの害から守るため、ベランダの手摺などに鳩が止まれないないように工夫した器具を提供する。【解決手段】突起部固定板（２）に突起部（１）を適度の間隔、適度の長さに付けて、鳩が突起部があるため止まることができないよう工夫した器具である。突起部固定板（２）はベランダの手摺などに、テープやバンドで固定する。【選択図】図１
2007202548.tif 000002
【特許請求の範囲】
【請求項１】
鳩止まれーず
（１）図［１］（１）のように突起部を図［１］（２）の突起部固定板につけることにより、鳥類（鳩など）が止まれないようにして、鳥類からの害を防ぐ。
（２）突起部は、先端を尖らす方法の他、鳥類が止まろうとすると、鳥の重みで傾き、離れると元に戻るようなものも含む。
（３）突起部は必要に応じ、長さや数量を製造段階で増減する。幅の広い鳥止まれーずは、縦数列に突起部を出し、効果を高めることとするなども含む。
【発明の詳細な説明】
【技術分野】
【０００１】鳩止まれーずは、図［１］（２）にような突起部固定板に［１］（１）のような突起部をつけ、一体化し、鳩などが止まれないようにする物である。
【背景技術】
【０００２】鳩などが、ベランダ等にきて糞などして汚すなどの害を防ぐための発明である。
【発明が解決しようとする課題】
【０００３】鳩などが止まる物がない場合、ベランダ等には、ほとんどくることはないので、止まれる部分をこの発明でなくすことにより、解決しようとするものである。
【課題を解決するための手段】
【０００４】鳩など止まるようなベランダの手摺などにこの鳩止まれーずを設置する。
【発明の効果】
【０００５】この発明、鳩止まれーずを手摺などに設定することにより、鳩等が止まれないので、来なくなり、鳩などの害を防ぐことが可能となる。
【発明を実施するための最良の形態】
【０００６】突起部の長さや間隔を適正にすると共に設置する場所は、鳩などが止まり易い場所とする。
【図面の簡単な説明】
【０００７】全体図
正面図
側面図
【符号の説明】
【０００８】（１）突起部
（２）突起部固定板
【図１】
2007202548.tif 000003
【図２】
2007202548.tif 000004
【図３】
2007202548.tif 000005
【手続補正書】
【提出日】平成18年4月21日(2006.4.21)
【手続補正１】
【補正対象書類名】明細書
【補正対象項目名】０００７
【補正方法】変更
【補正の内容】
【０００７】
【図１】全体図  本発明全体を示す斜視図である。
【図２】正面図  本発明を上から見た図である。
【図３】側面図  本発明を横から見た図である。
(57)【要約】【課題】米粉を用いた生地に食感、栄養と色味を付加し、更に食後の血糖値、コレステロールを下げ、健康面、ダイエット等、食の控えを考慮した、食を喫しやすい米粉加工製品を提供する。【解決手段】米粉の生地に牡蛎のペースト、粉末または牡蛎エキスを配合し、紅麹を混練する。そして、ゴマペーストまたは大豆類の液状の油脂分を加え混練する。【特許請求の範囲】
【請求項１】
米粉に牡蛎のペースト、牡蛎の粉末または牡蛎エキスを配合し、紅麹を混練することを特徴とする麺、米粉加工製品の製造方法。
【請求項２】
請求項１にゴマペースト、大豆類の液状の油脂分を加える製造方法。
【発明の詳細な説明】
【技術分野】  本発明は米粉に牡蛎のペースト、牡蛎の粉末または牡蛎エキスを配合し、紅麹を混練することを特徴とする麺、米粉加工製品の製造方法に関する。
【背景技術】
【０００１】  米粉を用いた麺、米粉加工製品は色々ある。（特開７−２２２５６２号）の提案がある。
【発明の開示】
【発明が解決しようとする課題】
【０００２】食後に、血糖値を気にしたりダイエットをしたりで食べ物を喫せない点に問題がある。そこで食感、色味、栄養を考えて健康的な製造方法を提供することを目的とする。【０００３】  紅麹の効果を得るため、麺では１食あたり１ｍｇから３ｍｇを考慮する事とした。牡蛎のペーストは米粉生地の５％から１０％の間とした。ゴマペースト、大豆類の液状の油脂分は、米粉生地の３％から１０％とした。
【課題を解決するための手段】
【０００４】  本発明はこの課題を解決するため米粉に牡蛎のペースト、粉末または牡蛎エキスを配合し、紅麹を混練する。【０００５】そして、上記混練した生地にゴマペースト、大豆類の液状の油脂分を加える事とした。
【発明の効果】
【０００６】本発明は以上の構成による製造方法により、旨味、色合い、食感共に良く、健康的な食品とすることが出来る。【０００７】また紅麹は科学的な分析のもとに、コレステロールを下げる物質モナコリン類やＧＡＢＡなど血圧を正常にする働きが知られている。紅麹を加える事で、血糖値を気にしたりダイエットをしたりで食べ物を喫せない点を少しでも改善できるものである。【０００８】また牡蛎のペースト、牡蛎の粉末または牡蛎エキスを配合した事で麺、米粉加工製品の旨味、食感、特に咽喉越しが良くなる。ゴマペースト、大豆類の液状の油脂分を加えたことにより、特に麺を茹でる場合、湯に成分が溶けにくくなる事である。
【発明を実施するための最良の形態】
【０００９】
【実施例１】米粉１０ｋｇに牡蛎ペースト１ｋｇ、でん粉１ｋｇ加え、水を少しずつ加え混練し、紅麹５０ｇ、を加え２０分間混練した。そして２０分間蒸して圧延ローラーで麺帯を作り麺状に形成した。
【実施例２】米粉１０ｋｇに牡蛎ペースト１ｋｇ、でん粉１ｋｇ加え、水を少しずつ加え混練し、紅麹５０ｇ、ゴマペースト５０ｇを加え２０分間混練した。そして２０分間蒸して圧延ローラーで麺帯を作り麺状に形成した。
【実施例３】米粉１０ｋｇに牡蛎ペースト１ｋｇ、でん粉１ｋｇ加え、水を少しずつ加え混練し、紅麹５０ｇ、ゴマペースト１０ｇ、大豆類の液状の油脂４０ｇを加え２０分間混練した。そして２０分間蒸して圧延ローラーで麺帯を作り麺状に形成した。
製品は薄紅の色合いで、咽喉越しの食感、味、共に良い結果を得た。
【発明が属する技術分野】
【００１０】本発明は、米粉を使った麺、米粉加工製品の、構成、製造方法に係り、牡蛎のペースト、牡蛎の粉末または牡蛎エキスを配合し、紅麹を混練して、ゴマペーストまたは大豆類の液状の油脂分を加える米粉加工製品の製造方法に関する。
【産業上の利用可能性】
【００１１】本発明は健康また、ダイエットや糖尿病などの血糖値を気にせず食の制限によって、ひかえ気味の食材を喫しやすく、またサプリメント的な効果を考慮したものである。食べ方もうどんとして以外にもサラダ、付け合せ、鍋物、サンドイッチ等、食べ合わせ方も色々あり、食を幅広く提供しやすくするものである。【００１２】
(57)【要約】      （修正有）【課題】手むすびで、具をつぶし、ご飯と混ざり合うことを解消するために、おにぎり器を提供する。【解決手段】型板１の中央に凸起２を備えたおにぎり器で、この凸起２の上にご飯をのせるか又は、手の平にご飯をのせその上から本おにぎり器の具用凸起２を下向きに置き両手でおにぎりを握り、具用の窪みを簡単につくるおにぎり器。【選択図】図１
2007202538.tif 000002
【特許請求の範囲】
【請求項１】
型板とご飯に具を入れるための窪みを形成するための具用凸起が型板の中央にあることを特徴とするおにぎり器
【発明の詳細な説明】
【技術分野】
【０００１】本発明は、おにぎり器を手のひらにのせてご飯といっしよに手むすびし、ご飯の表面に形成した窪みに具材をつぶすことなく、またご飯と混ざり合うことなく入れることができるようにしたおにぎり器である。
【背景技術】
【０００２】手むすびでは具を中に入れる方法、後から窪みを入れる方法があるが、道具を使って一緒に手むすびする方法は今までにない。
【発明の開示】
【発明が解決しようとする課題】
【０００３】上記したように、手むすびで具を中に入れる方法は、入れる具に限りがある。具によっては入れた具がつぶれる。または、ご飯と交じり合ってしまう。後から窪みを入れる方法はおにぎりの形をくずしてしまうことがある。【０００４】本発明は、具や形をつぶすことなく、手むすびで、ご飯に窪みを形成し具を入れることのできるおにぎり器を提供することを目的とする。
【課題を解決するための手段】
【０００５】本発明によるおにぎり器は、型板と具を入れるための窪みを成形するための具用凸起を備えたことを特徴とする。
【発明の効果】
【０００６】上記のように、本発明によるおにぎり器を用いることにより、手むすびで、シーチキンマヨネーズや明太子などの具をつぶすことなく、ご飯と混ざり合うことなく家庭でおにぎりを作ることができる。
【実施例】
【０００７】手の平におにぎり器の具用凸起２を上向きに置き、その上にご飯を適量のせる。または、手の平に適量ご飯をのせて、その上におにぎり器の具用凸起２を下向きに置く。両手でおにぎりをにぎる。にぎったら、おにぎり器をはずし、窪みに、具を入れる。
【図面の簡単な説明】
【０００８】
【図１】本発明の平面図である。
【図２】本発明の断面図である。
【図３】本発明の平面図である。
【図４】本発明の断面図である。
【符号の説明】
【０００９】１型板
２具用凸起
【図１】
2007202538.tif 000003
【図２】
2007202538.tif 000004
【図３】
2007202538.tif 000005
【図４】
2007202538.tif 000006
(57)【要約】【課題】  本発明は、シート類を固定ピンでシートに貫通させて地面に固定する場合、その貫通穴から雑草が生えてくることを防止するものである。【解決手段】  プラスティック素材の円盤体（１）にシート固定用ピンの差込み穴（５）及び（６）を設け、それぞれリブ（３）とピン貫通用の薄膜（２）を設ける。シート固定ピンで薄膜（２）を貫きリブ（３）がピンに密着し隙間を無くす。円盤体（１）の外周は立ち上がり部（４）を設け円盤体の外周のみを地面に密着できる。【選択図】図１
2007202539.tif 000002
【特許請求の範囲】
【請求項１】
丸棒状のシート固定ピンや杭で薄膜（２）を貫きシート類を地面に固定する場合、リブ（３）がピンを締め付けることにより貫通した穴から雑草が生えてこないようにするためのシート固定ワッシャー。
【請求項２】
丸棒状のシート固定ピンや杭で薄膜（２）を貫きシート類を地面に固定する場合、立ち上がり部（４）がシートに密着することによりシートとピンの隙間からの雑草を生えてこないようにするためのシート固定ワッシャー。
【発明の詳細な説明】
【技術分野】
【０００１】  本発明は、シート固定ピンをシートに打ち込み、貫通させて地面に固定する場合、その貫通穴から雑草が生えてくることを防止するものである。
【背景技術】
【０００２】  従来、シート類を地面に被覆して雑草を抑制することがなされている。その場合シート固定ピン等で直接シートに貫通させて地面に刺して固定する。
【発明が解決しようとする課題】
【０００３】  上記の技術によれば、シート固定ピンをシートに打ち込み、貫通させて地面に固定するため、そのピン穴の隙間から雑草が生えてくる問題点があった。
本発明は、以上の問題を解決しピン穴からの雑草も抑制することができるものである。
【課題を解決するための手段】
【０００４】    プラスティック素材の円盤体（１）に細型ピン差込み穴（５）及び太型ピン差込み（６）を設け、それぞれリブ（３）とピン貫通用の薄膜（２）を設ける。リブ（３）は下方へ向かうほど狭くなる形状を設ける。シート固定ピンで薄膜（２）を貫きリブ（３）がピンに密着し隙間を無くす。円盤体（１）の外周は立ち上がり部（４）を設け円盤体の外周のみを地面に密着できる。
【発明の効果】
【０００５】  本発明は以上の構成よりなるピン穴からの雑草を抑制するワッシャーである。
【発明を実施するための最良の形態】
【０００６】  （イ）プラスティック素材の円盤体（１）に細型ピン差込み穴（５）及び太型ピン差込        み穴（６）を設け、それぞれリブ（３）とピン貫通用の薄膜（２）を設ける。
（ロ）リブ（３）は下方に向かうほど狭くなっておりシート固定ピンが薄膜（２）を貫        いたときにリブ（３）がピンに密着する形状を設ける。
（ハ）円盤体（１）の外周は立ち上がり部（４）を設け円盤体の外周のみが地面に密着        する形状を設ける。
【図面の簡単な説明】
【０００７】
【図１】  本発明の要部拡大を示す断面図
【図２】  本発明の正面図
【符号の説明】
【０００８】  （１）円盤体、（２）薄膜、（３）リブ、（４）立ち上がり部、
（５）細型ピン差込み部、（６）太型ピン差込み部、
【図１】
2007202539.tif 000003
【図２】
2007202539.tif 000004
(57)【要約】【課題】低温期のローラ圧延による麺帯品質劣化防止のためローラを加熱する。【解決手段】ローラを電磁誘導加熱し短時間でローラ表面温を２０から３０℃に昇温する。そして、ローラ表面温度を設定温度に維持する。【選択図】図１
2007202522.tif 000002
【特許請求の範囲】
【請求項１】
製麺において、電磁誘導加熱により圧延ローラを加熱する。
【発明の詳細な説明】
【技術分野】
【０００１】
本発明は製麺に使用する金属ローラを加熱する事に関するものである。
【背景技術】
【０００２】
現在、冬季等の低温時に製麺ローラ温度を加熱する為には、ローラ軸端から温水を入れローラに循環させている。  他の方法としては赤外線照射、あるいは製麺室全体を事前に暖房する等の方法が取られている。
【発明の開示】
【発明が解決しようとする課題】
【０００３】
ローラに熱媒を循環させる方法は圧延ローラの構造が複雑になると共に別途にボイラ等の水加熱装置及び循環装置が必要となる。  既設圧延ローラをこの方法で改造する事は難しい。
【０００４】
ローラに赤外線を照射してローラを加熱する方法は簡便であり後付けも容易な事から広く用いられている。  しかし、赤外線照射でローラに与える事ができる熱量は小さく低効率である。  目標温度までローラを加熱するのに時間が掛かかる。  また，最近はローラがステンレス化しているため赤外線が反射されてしまう。
【０００５】
製麺室全体を暖房する方法は効果的ではあるがエネルギの無駄使いが大きい。
【課題を解決するための手段】
【０００６】
金属製圧延ローラを電磁誘導加熱する。
【発明の効果】
【０００７】
短時間でローラ温度を目標温度まで加熱する事ができるようになった。
【０００８】
これにより、冬季等の低温期間始業時における麺帯品質を向上させることができた。
【０００９】
冬季等の低温期間時においてもローラ圧延により麺帯温度を低下させることなく麺帯圧延できた。
【００１０】
電磁誘導加熱によるローラ発熱量は自体温度を上げるより十分に大きくとることができる。  麺帯温度よりローラ温度を高めに設定することにより麺帯温度を上げる事ができた。  このことは麺帯熟成において良好に作用すると思われた。
【発明を実施するための最良の形態】
【００１１】
既設圧延ローラに容易に後付けできる衛生的簡易構造であり、麺帯圧延適温帯である２０から３５℃の任意温度へローラを短時間に調整する事ができる。  且つ、エネルギ効率が高い。
【実施例１】
【００１２】
本発明の実施例を図面に基づき説明する。  
図１は本発明実施例立体図である。  図２は本発明実施制御図である。  
【００１３】
インバータＩＶ１により、電磁誘導加熱用高周波電流を発生する。この高周波電流は電磁誘導コイルＣＯ１に給電される。この電磁誘導によりローラは加熱される。
【００１４】
歯車ＧＥ１はローラ駆動軸に取り付けられており、ローラと共に矢印ＡＲ１方向へ回転運動する。  近接センサＰＸ１と歯車ＧＥ１によりローラの回転状況はパルス信号となって制御器ＰＣ1に入力される。  制御器ＰＣ1はローラ回転運動によるパルス信号が入力されない場合はＩＶ０１に対して出力指令を出さない。  この制御により、ローラ円周面が均等に加熱されるようにしている。
【００１５】
放射温度センサＲＴ１は電磁誘導コイル直近のローラ回転方向側ローラ表面温度を検知するように設置されている。  このセンサにより、ローラ表面温度を検知し電磁誘導加熱のフィードバック制御を行っている。  この制御により、ローラ表面温度が正確に制御される。  また，このセンサはローラの過熱防止も行う。  
【図面の簡単な説明】
【００１６】
【図１】本発明のローラ加熱装置立体図
【図２】本発明のローラ加熱装置制御図
【符号の説明】
【００１７】
ＡＲ１  ローラ回転方向矢印
ＣＯ１  電磁誘導コイル
ＧＥ１  歯車
ＰＸ１  回転検知近接センサ
ＲＴ１  ローラ表面温検知センサ
ＳＵ１  コイル給電点
ＳＵ２  コイル給電点
ＩＶ１  高周波インバータ
ＰＣ１  制御器
【図１】
2007202522.tif 000003
【図２】
2007202522.tif 000004
(57)【要約】【課題】        携帯電話のメール機能を使用し音声語学のレッスンを行う事を目的としているサイトの仕組みあるいはプログラム。その際、「携帯端末機種の違いによらず、レッスン音声プログラムを使用出来ること。」「特定のソフトをあらかじめインストールしていない汎用的な携帯電話端末においても使用出来ること。」を課題とする。【解決手段】    事前にメールについているアドレスからレッスンサイト上のプログラムに接続し、各携帯電話端末を識別、事前に各携帯電話端末に適切に作成したレッスンページ、音声、画像を選択し表示あるいは発音をする。また、レッスン音声プログラムのダウンロードをして、各携帯電話端末がインターネット網の圏外であってもレッスンが可能になる。携帯電話のメール機能と本プログラムにより携帯電話端末を選ばずにどの携帯電話端末からでも語学レッスンが可能になる。【選択図】図１
2007202092.tif 000002
【特許請求の範囲】
【請求項１】
携帯電話のメール機能とインターネット通信を利用して、それらに音声レッスンサイトをリンクさせて、携帯電話端末を語学習得端末として利用する為のプログラムとサイトと画像、音声の作り方。携帯メールにサイトへのアドレスを付け、サイトへアクセスをするとそれぞれの端末に適切なページ、音声、語学の文字画像を自動選択した後、表示させ、音声を発生するプログラム。
【請求項２】
前記プログラムは、携帯電話端末において文字レッスンを受ける事のみのプログラムではなく、携帯端末に合わせた音声による発音レッスンプログラムを有することを特徴とするサイト・プログラム。
【請求項３】
一度通信環境の対応エリアにて、音声をダウンロードすると非対応エリア内でもレッスンを受けられるプログラム。
【発明の詳細な説明】
【技術分野】
【０００１】本発明は、携帯電話に語学レッスンに該当する文字・音声・画像からなる各携帯電話端末に適したサイトを選択、表示するプログラムに関する。
【背景技術】
【０００２】従来、携帯電話による語学レッスンとは、予約のみ携帯電話端末を利用し、ネイティブスピーカーと電話回線網を使用する事でレッスンを行ってきた。音声レッスンまでもサイト上で行うことは出来なかった。【０００３】また、携帯電話端末は電話通信会社、電話機メーカーにより対応音源・画像・ページが異なりレッスンの音声の再生や画像の表示が困難であった。【０００４】また、携帯電話が通信圏外であった場合にどのようにレッスンを行うかも課題であった。【０００５】なお、本願発明に関連する公知技術として〔特開２００２−２５９５７４〕の携帯電話を利用したネイティブスピーカーによる語学学習法を挙げる事が出来る。
【発明の開示】
【発明が解決しようとする課題】
【０００６】上記の〔特開２００２−２５９５７４〕は携帯電話の接続エリア内でしか実際の機能上効力を発生せず、また、レッスンにはネイティブスピーカーをリアルタイムで準備しなくてはならず、携帯電話のインターネット網やプログラムの機能を十分に活かしきれておらず十分な効果を得られないでいた。【０００７】また、メールによる文字や画像だけのレッスンは考えられるものの、言葉による音声を発生しないので十分な語学レッスン効果を得られないでいた。【０００８】使い慣れた携帯電話で、語学レッスンプログラムがもともとインストールされていない場合、実質使用することが難しかった。
【課題を解決するための手段】
【０００９】この為、本発明のプログラムは、各携帯電話端末に該当する音声・画像・ページを自動的に選択し、表示を可能にする。このプログラムにより従来のような電話回線網を使用したり、使用する携帯端末機種によりユーザ自らページ・音声・画像を選択して語学レッスンを行う必要がなくなり、ユーザの利便性がますようになる。【００１０】携帯電話端末がインターネット通信網のエリア内である時に音声をダウンロードし、携帯電話端末内あるいは携帯電話記録メディアへ保存することにより、インターネット通信網のエリア外である場合やもともと携帯電話端末に語学レッスンプログラムが入っていない場合でも、携帯電話の電源さえ入っていればレッスンを行うことが可能となる。【００１１】文字だけの携帯電話端末の語学レッスンプログラムに比べて、本プログラムの対応している音声付語学レッスンプログラムは効果的にレッスンを行う上で有効である。
【発明の効果】
【００１２】以上説明したように、本発明によれば、自分自身の携帯端末が通信エリア内であったときに、語学音声プログラムを携帯の端末のメモリ上にダウンロードしておけば、各携帯電話端末に合わせたページ・画像・音声による語学レッスンが行われる。携帯電話端末のメール・インターネット通信網を十分に活かした語学レッスンが行えるようになる。
【発明を実施するための最良の形態】
【００１３】以下、本発明の実施の形態を図面に基づき詳細に説明する。【００１４】図１から図３は本発明のサイト上プログラム上の実施の形態であり、図１は携帯電話のメール機能・インターネット接続をしてプログラムを起動し語学レッスンを行うまでの方法、図２は従来の語学レッスンの画面の中での文字表示によるだけの方法から音声を伴ったレッスンの方法と本発明による新しい語学レッスンの方法、図３は携帯電話がインターネット網の外にいる場合の語学レッスン方法の図である。【００１５】図１は、各携帯電話端末の対応するページ・音・画像の自動選択プログラムの取得に関する図であり、この語学レッスンプログラムの仕組みを示しているといえる。【００１６】図２は、従来のメールによる予約レッスン＋電話回線網を使用したプログラムと今回の発明による違いを示した図である。【００１７】図３は、もともと音声翻訳プログラムが入っている携帯端末以外でも簡単に音声翻訳プログラムを使用出来るようになる仕組みである。
【産業上の利用可能性】
【００１８】本発明は、教育産業分野、携帯コンテンツ製作分野、海外旅行産業分野、航空産業分野で利用することが出来る。
【図面の簡単な説明】
【００１９】
【図１】携帯電話端末に依存しない語学レッスンプログラムの優位性
【図２】人の手を介さない語学レッスンプログラムの優位性
【図３】汎用の携帯電話端末で使用出来るようにした優位性
【図１】
2007202092.tif 000003
【図２】
2007202092.tif 000004
【図３】
2007202092.tif 000005